(57)【要約】【課題】光ファイバをコネクタ成端した光コネクタが複数配列設置された成端部と、成端部の光コネクタに着脱可能に接続されるコネクタ付きの光コードが配線される配線棚とを具備する成端ユニットが搭載されてなる光配線盤において、配線盤内に配線されている光コードを、成端ユニットの光コネクタに着脱する作業を効率良く行えるようにする。【解決手段】ユニット３の前面側に上下回転可能に設けられた配線棚３７と、ユニット３の側部に設けられた配線ステージ３９とによって、光コードＪを配線するため配線部が構成され、しかも、配線ステージ３９は、配線面３９４が、配線棚３７が上昇位置３７Ａにあるときの配線棚３７の配線面３７５よりも下方に設置され、配線棚３７を下方傾斜位置３７Ｂに回転移動したときに、光コードＪに余長を生じさせることができる光配線盤を提供する。【選択図】図２
2008224892.tif 000002
【特許請求の範囲】
【請求項１】
光ファイバ（３２、３２２）をコネクタ接続可能に成端した光コネクタ（３１、３１１、３２４）が複数配列設置されたコネクタ配列部（３１Ａ）を前面側に有し、前記コネクタ配列部から背面側に前記光ファイバが配線された構成の成端部（３３）を具備するユニット（３）が上下多段に設けられた光配線盤であって、
前記ユニットは、前記成端部と、前記成端部の下側から前面側に張り出すように突設された配線棚（３７）と、ユニットの側部に設けられた配線ステージ（３９）とを具備し、前記配線棚と前記配線ステージとによって、ユニットの前面側から前記コネクタ配列部の前記光コネクタに着脱可能に接続される光コネクタ付きの光コード（５、６、Ｊ）が配線される配線部が構成され、
前記配線棚は、前記ユニットにおいて前記成端部の下側に設けられた回転支持部（３７３）によって上下回転可能に支持され、回転によって、前記光コードが配線される上面である配線面（３７５）が水平あるいはほぼ水平となる上昇位置（３７Ａ）と、この上昇位置から下方に傾動されて前記配線面が傾斜した向きとなる下方傾斜位置（３７Ｂ）とを、切り換え可能であり、
前記配線ステージは、該配線ステージの前記光コードが配線される上面である配線面（３９４）と前記配線棚の配線面との高低差が、配線棚が前記上昇位置にあるときに比べて下方傾斜位置にあるときの方が小さくなるように、前記上昇位置に設置された前記配線棚の配線面よりも下方に設置されていることを特徴とする光配線盤（１）。
【請求項２】
前記配線棚の、前記回転支持部回転による回転中心からユニット前面側に延出する前面部上に、コード脱落防止片が突設されていることを特徴とする請求項１記載の光配線盤。
【請求項３】
前記成端部が、前記コネクタ配列部を前面側に有し、前記コネクタ配列部の光コネクタによってコネクタ接続可能に成端された光ファイバを収納するボックス状のコネクタモジュール（３３）であることを特徴とする請求項１又は２記載の光配線盤。
【請求項４】
前記ユニットは、前記コネクタモジュールの下側に、前記コネクタモジュールから延出された光ファイバ（３２ａ）と別の光ファイバとの融着接続部（３４）を収納する融着トレー（３５）を具備することを特徴とする請求項３記載の光配線盤。
【請求項５】
前記配線ステージ上には、光コードが、前記配線棚側から互いに異なる複数方向に延びる複数の配線ルートで配線されるようになっており、前記光コードを把持するコードクランプ（３９２、３９２Ａ、３９２Ｂ、３９２Ｃ）が、前記光コードの複数の配線ルートに応じた互いに異なる複数箇所に設けられている請求項１〜４のいずれかに記載の光配線盤。
【請求項６】
前記配線ステージは、前記配線棚から光コードが引き込まれる受け入れ台部（３９１ａ）を有し、前記配線ステージの配線面には、前記光コードが、前記受け入れ台部から、互いに異なる複数方向に延びる複数の配線ルートで配線されるようになっており、
前記受け入れ台部は、前記ユニットにおいて、前記配線棚から、該配線棚が設けられている前面側とは逆の背面側にずれた位置に設けられていることを特徴とする請求項１〜５のいずれかに記載の光配線盤。
【発明の詳細な説明】
【技術分野】
【０００１】
本発明は、光配線盤に係り、特に、光ファイバをコネクタ接続可能に成端した光コネクタが複数配列設置された成端部を具備するユニットが上下多段に設けられた光配線盤に関する。
【背景技術】
【０００２】
光配線盤としては、光ファイバをコネクタ接続可能に成端した光コネクタが複数配列設置された成端部を具備するユニット（成端ユニット）が上下多段に設けられた構成のものが広く提供されている。前記成端部としては、光コネクタが複数配列設置されたコネクタ配列部を前面側に有し、前記光コネクタによってコネクタ接続可能に成端された光ファイバをコネクタ配列部から背面側に配線した構造が広く採用されている（例えば特許文献１、２）。
このタイプの光配線盤では、前記成端部の光コネクタに、切替接続用の光コード（切替用光ファイバ。いわゆるジャンパコード）先端の光コネクタ（光コネクタプラグ）を接続することで、前記成端部の光コネクタによってコネクタ接続可能に成端されている光ファイバと光コードとがコネクタ接続される。また、成端部の複数の光コネクタに対する光コードの接続を切り替えることで、光ファイバ同士の切替接続が実現される。
【０００３】
成端部のコネクタ配列部としては、例えば、特許文献１，２のように、成端部の光ファイバ先端の光コネクタ（光コネクタプラグ）を予め背面側から接続した光コネクタアダプタが多数配列設置され、光コネクタアダプタに前面側から挿入した光コード先端の光コネクタ（光コネクタプラグ）が、前記光コネクタアダプタにて、成端部の光ファイバ先端の光コネクタと接続されるようになっている構成が、多く採用されている。また、ユニットとしては、コネクタ配列部の下側から前面側に張り出すように突設した、コード配線用の配線棚（例えば、特許文献１の配線ダクト５３、特許文献２のダクト３７）を具備した構成が一般的である。配線棚は、該配線棚が突設されている配線盤前面側から見て、横方向（左右方向）に延在するように設けられる。この構成のユニットでは、ユニットの多数の光コネクタアダプタに接続される多数本の光コードが、光コネクタアダプタに接続されている先端の光コネクタ（光コネクタプラグ）から下方の配線棚に上下方向に湾曲配線される。このため、光コネクタアダプタに接続して光配線盤内に配線される多数本の光コードを前記配線棚によってユニット毎に整理できる。
【０００４】
上述のような光配線盤にあっては、光配線盤の高密度化に鑑みて、コネクタ配列部に多数の光コネクタアダプタが高密度に配列設置された状況においては、光コネクタアダプタに接続された多数本の光コードが、ユニットの前面側に高密度に配線される上、光コネクタアダプタに接続した光コード先端の光コネクタが、コネクタ配列部の前面側に、多数、高密度に突出されることになる。この場合、作業者が手指で直接、光コード先端の光コネクタを把持して、光コネクタアダプタに挿脱操作することが難しいケースが生じるが、これに鑑みて、狭隘なスペースに差し込むことができ、コネクタ配列部の光コネクタアダプタに対する光コネクタの着脱（挿脱）作業を効率良く行える工具（光コネクタ着脱工具）も提供されている（例えば、特許文献３）。
【０００５】
また、上述のような光配線盤の場合、高密度化、対応心数の確保に鑑みて、ユニットの上下寸法の確保には限界がある。このため、コネクタ配列部と配線棚との間での、光コードの取り回し、光コネクタアダプタに対する光コード先端の光コネクタの着脱といった作業を行うための作業スペースの確保が問題となる。
例えば、特許文献１の光配線盤では、コネクタ配列部と配線棚との間での光コードの取り回し等の作業スペースの確保のために、ユニットの上下寸法を充分に確保しようとすれば、上下多段のユニットの配列ピッチの縮小が困難となり、高密度化の妨げになる。
【０００６】
特許文献２の光配線盤では、ユニットの前面側（特許文献２の「操作側」）に突出する配線棚（ダクト３７）が、ユニットに設けられたヒンジ３９ａによって、上下回転可能に支持されている。この光配線盤では、ユニットの前面側での配線棚の昇降が可能であり、配線棚を、上昇位置（符号４０）から下降位置（符号４１）に移動することで、コネクタ配列部と配線棚との間での光コードの取り回し等の作業スペースを確保できる。特許文献１のように配線棚がユニットに固定になっている構成では、上下に隣り合うユニット間において、上側のユニットの配線棚の下側に無駄なスペースが発生しやすく、また、このスペースを活用できないが、特許文献２の光配線盤では、配線棚の下側のスペースを利用して配線棚を上下回転によって昇降できる。その結果、ユニットの上下寸法を大きくすることなく、コネクタ配列部の前面側の作業スペースの確保を容易に実現できる。
【特許文献１】特開２００２−０２２９７４号公報
【特許文献２】特開２００１−００４８４９号公報
【特許文献３】特開２００２−０２３０１２号公報
【発明の開示】
【発明が解決しようとする課題】
【０００７】
特許文献２の光配線盤は、ユニットの側部に、光コードの固定用のクランプ３８が設けられた２つの配線ステージを具備する。この光配線盤では、光コネクタアダプタに接続した光コードは、配線棚に配線され、さらに、配線棚から配線ステージに配線され、配線ステージから延出された部分に余長が確保される。各配線ステージのクランプ３８によって光コードを固定しておけば、光コードの、配線ステージから延出されて光配線盤内に引き回されている部分が、配線棚の回転に伴い移動してしまうといった不都合を防止できる。
しかしながら、この光配線盤では、配線棚を、上昇位置から下降位置に回転移動したときに、配線棚上の光コードが配線棚に追従下降せず、配線位置が殆ど変化しないことが多い。この場合、配線棚の下降によって、コネクタ配列部と配線棚との間が拡がって作業スペースを確保できるものの、光コードとコネクタ配列部の光コネクタアダプタとの間の距離が大きく拡がる訳ではないため、光コードの取り出し等の作業性向上が充分でない、といった不満があった。
【０００８】
また、特許文献２では、成端ユニットに、外観薄板状のケースである光モジュールを横並びに複数配列収納し、各光モジュールの側部（前面側端面）に取り付けられている多連の光コネクタアダプタが横並びに配列されてコネクタ配列部が構成され、ユニット前面側に配線される多数本の光コードを、ユニット前面側に突設した光ファイバ保持具４６によって、光モジュール毎に束ねるようにして保持して整理し、光コネクタアダプタに対する光コードの切替接続等の作業における回線確認を容易にする技術を開示している。
配線棚を下降位置に移動したときには、配線棚上の光コードが配線ステージ側に引っ張られる傾向があるが、光ファイバ保持具４６が、光コネクタアダプタと配線棚との間に上下に配線される光コードの配列状態を維持する機能を果たすため、配線ステージ側への引っ張りによる光コードの配列状態の乱れ、光コード同士の絡まり等の不都合を防止できる。
しかしながら、光コードを、光ファイバ保持具４６によって、光モジュール毎に束ねるようにして保持する構成では、プラグ穴が上下多段に設けられている光コネクタアダプタの前面側下部において、光ファイバ保持具によって束ねられて集合配線された複数本の光コードが、光コード先端の光コネクタの光コネクタアダプタに対する着脱作業の邪魔になりやすい。特許文献３に例示されるような光コネクタ着脱工具の使用にも支障が生じる。このため、光ファイバ保持具による光コードの結束を一旦解く必要があるなど、作業に手間を要することとなり、問題の根本的な解決に至らない。
【０００９】
本発明は、前記課題に鑑みて、上下回転可能な配線棚によって、コネクタ配列部の前面側に、コネクタ配列部と配線棚との間での光コードの取り回し、コネクタ配列部の光コネクタに対する光コード先端の光コネクタの着脱といった作業を行うための作業スペースを容易に確保でき、しかも、配線棚を下方に回転させて上記作業スペースを確保したときに、配線棚からの光コードの取り出し等の作業を容易に行うことができ、光コネクタアダプタに対する光コードの切替接続等の作業の作業性を向上できる光配線盤の提供を目的としている。
【課題を解決するための手段】
【００１０】
上記課題を解決するために、本発明では以下の構成を提供する。
第１の発明では、光ファイバをコネクタ接続可能に成端した光コネクタが複数配列設置されたコネクタ配列部を前面側に有し、前記コネクタ配列部から背面側に前記光ファイバが配線された構成の成端部を具備するユニットが上下多段に設けられた光配線盤であって、前記ユニットは、前記成端部と、前記成端部の下側から前面側に張り出すように突設された配線棚と、ユニットの側部に設けられた配線ステージとを具備し、前記配線棚と前記配線ステージとによって、ユニットの前面側から前記コネクタ配列部の前記光コネクタに着脱可能に接続される光コネクタ付きの光コードが配線される配線部が構成され、前記配線棚は、前記ユニットにおいて前記成端部の下側に設けられた回転支持部によって上下回転可能に支持され、回転によって、前記光コードが配線される上面である配線面が水平あるいはほぼ水平となる上昇位置と、この上昇位置から下方に傾動されて前記配線面が傾斜した向きとなる下方傾斜位置とを、切り換え可能であり、前記配線ステージは、該配線ステージの前記光コードが配線される上面である配線面と前記配線棚の配線面との高低差が、配線棚が前記上昇位置にあるときに比べて下方傾斜位置にあるときの方が小さくなるように、前記上昇位置に設置された前記配線棚の配線面よりも下方に設置されていることを特徴とする光配線盤を提供する。
第２の発明では、前記配線棚の、前記回転支持部回転による回転中心からユニット前面側に延出する前面部上に、コード脱落防止片が突設されていることを特徴とする第１の発明の光配線盤を提供する。
第３の発明では、前記成端部が、前記コネクタ配列部を前面側に有し、前記コネクタ配列部の光コネクタによってコネクタ接続可能に成端された光ファイバを収納するボックス状のコネクタモジュールであることを特徴とする第１又は第２の発明の光配線盤を提供する。
第４の発明では、前記ユニットは、前記コネクタモジュールの下側に、前記コネクタモジュールから延出された光ファイバと別の光ファイバとの融着接続部を収納する融着トレーを具備することを特徴とする第３の発明の光配線盤を提供する。
第５の発明では、前記配線ステージ上には、光コードが、前記配線棚側から互いに異なる複数方向に延びる複数の配線ルートで配線されるようになっており、前記光コードを把持するコードクランプが、前記光コードの複数の配線ルートに応じた互いに異なる複数箇所に設けられている第１〜４のいずれかの発明の光配線盤を提供する。
第６の発明では、前記配線ステージは、前記配線棚から光コードが引き込まれる受け入れ台部を有し、前記配線ステージの配線面には、前記光コードが、前記受け入れ台部から、互いに異なる複数方向に延びる複数の配線ルートで配線されるようになっており、前記受け入れ台部は、前記ユニットにおいて、前記配線棚から、該配線棚が設けられている前面側とは逆の背面側にずれた位置に設けられていることを特徴とする第１〜第５のいずれかの発明の光配線盤を提供する。
【発明の効果】
【００１１】
本発明に係る光配線盤では、上下回転可能な配線棚を回転させて上昇位置から下方傾斜位置に移動することで、コネクタ配列部の前面側に、コネクタ配列部と配線棚との間での光コードの取り回し、コネクタ配列部の光コネクタに対する光コード先端の光コネクタの着脱といった作業を行うための作業スペースを容易に確保できる。
また、この光配線盤では、配線棚に配線された光コードは、ユニットの側部に設けた配線ステージ上の配線面を経由して延出させて、配線盤内に引き回し配線される。ここで、配線ステージの配線面の位置は、前記上昇位置に設置された前記配線棚の配線面よりも下方であり、前記配線棚の配線面との高低差が、配線棚が前記上昇位置にあるときに比べて下方傾斜位置にあるときの方が小さくなるように、上下方向の位置が設定されている。このため、配線棚を回転させて上昇位置から下方傾斜位置に移動すると、配線ステージの配線面と配線棚の配線面との高低差の縮小によって、配線棚上の光コードに余長が発生する。この余長発生により、配線棚上からの光コードの取り出しを容易に行える。
また、余長発生により、配線棚上の光コードをユニット前面側へ引き寄せるといったことが容易となるため、引き寄せによって、配線棚上からの光コードの取り出しの作業性を向上できる。この引き寄せによって、成端部のコネクタ配列部の光コネクタに接続されている光コードが、それぞれ、コネクタ配列部から配線盤前面側に向かって延びるように、向きが整えられるため、特許文献３に例示したような光コネクタ着脱工具を使用して、光コード先端の光コネクタを操作（成端部の光コネクタに対する着脱等）する際に、良好な作業性を確保できる。
【発明を実施するための最良の形態】
【００１２】
以下、本発明を実施した光配線盤について、図面を参照して説明する。
図１は、本発明に係る光配線盤１の成端ユニット３を示す正面図、図２は図１の成端ユニット３の左側面図、図３は図１の成端ユニット３の右側面図、図４は本発明に係る光配線盤１を示す全体正面図、図５は光配線盤１の平断面図であり、光配線盤１及び成端ユニット３の構造を示す図、図６は図５の成端ユニット３の融着トレー収納部３６の構造を示す平面図である。
なお、図１〜図４において上側を「上」、下側を「下」として説明する。図２における右側、図３における左側、図５、図６における下側を「前」、図２における左側、図３における右側、図５、図６における上側を「後」として説明する。図１、図４においては、紙面手前側が「前」、紙面奥側が「後」である。また、図１、図４においては、左側を「左」、右側を「右」として説明する。
また、光配線盤１について、前側を「前面側」、後側を「背面側」として説明する場合がある。光配線盤１の左右方向（図１、図４における左右方向）については、「横方向」と称して説明する場合がある。
【００１３】
図１、図４に示すように、前記光配線盤１は、ラック２内に、成端ユニット３を上下多段に設置した概略構成になっている。
ラック２は、底板部２１と、左右の側壁２２ａ、２２ｂと、天井部２３とからなる四角枠状のフレーム部２４を具備する。フレーム部２４の背面側には背面板２５が固定されている。背面板２５は、フレーム部２４の背面側を塞ぐように設けられている。フレーム部２４の前面側は開閉扉（図示略）によって開閉される。
前記成端ユニット３は、前記背面板２５に取り付けて、フレーム部２４の内側空間２６（以下、ラック２の内側空間とも言う）に上下多段に設けられている。また、成端ユニット３を上下多段に設置してなるユニット積層部３Ａと、ラック２の左右両側の側壁２２ａ、２２ｂとの間には、それぞれ、光ファイバの配線用の配線用空間２７ａ、２７ｂが確保されている。配線用空間２７ａ、２７ｂは、ユニット積層部３Ａを介して両側にある。なお、区別のため、２つの配線用空間２７ａ、２７ｂの内、図４においてユニット積層部３Ａを介して左側の配線用空間２７ａを第１配線用空間、右側の配線用空間２７ｂを第２配線用空間と称して説明する場合がある。
【００１４】
光配線盤１において、前記成端ユニット３は、光配線盤１内（ラック２内側）に引き込まれた光ファイバケーブル４から露出されている光ファイバ４１を、光コネクタ３１によって、別の光ファイバ（例えば、後述のジャンパ用光ファイバ、装置側光ファイバ）とコネクタ接続可能とする機能を果たす。
【００１５】
図４において、前記光ファイバケーブル４は、第２配線用空間２７ｂに引き込まれている。図４中、符号２８ａは、光ファイバケーブル４を把持固定するケーブル把持部品、符号２８ｂは、光ファイバケーブル４の端末に露出されたテンションメンバ４２を固定するテンションメンバ固定部品２８ｂである。ケーブル把持部品２８ａとテンションメンバ固定部品２８ｂとは、ラック２（具体的には側壁２２ｂ）に取り付けて第２配線用空間２７ｂに設置されており、光ファイバケーブル４は、これらケーブル固定部品（ケーブル把持部品２８ａとテンションメンバ固定部品２８ｂ）によってラック２に固定されている。  なお、ケーブル固定部品（ケーブル把持部品２８ａとテンションメンバ固定部品２８ｂとの組）は、ラック２の側壁２２ｂに多数設置されている。図示例の光配線盤１では、図６に示すように、ケーブル固定部品（図６ではテンションメンバ固定部品２８ｂ）をラック２の前後方向に複数集合設置したケーブル固定部品設置部２８が、上下方向の複数箇所（図４の例では３カ所）に設けられている。
【００１６】
図４において、光ファイバケーブル４の光ファイバ４１（以下、ケーブル側光ファイバとも言う）は、光ファイバケーブル４の端末から延出されており、第２配線用空間２７ｂ内での引き回しによって、目的の成端ユニット３に引き込み配線される。
図４、図５において、符号２９ａはファイバガイド、符号２９ｂはファイバ保持部品である。ファイバ保持部品２９ｂ及びファイバガイド２９ａは第２配線用空間２７ｂに設けられており、第２配線用空間２７ｂ内での光ファイバ４１の引き回しに利用される。ファイバ保持部品２９ｂは、内側に光ファイバ４１が通されるＣ形に形成された部材であり、ラック２の背面板２５の上下方向の複数箇所に取り付けられている。ファイバガイド２９ａは、ラック２の側壁２２ｂの上下方向複数箇所に取り付けられている。光ファイバケーブル４の端末から延出された光ファイバ４１は、ファイバガイド２９ａ上に引っ掛けて、先端を、ファイバガイド２９ａよりも下側に位置する成端ユニット３に引き込む。但し、光ファイバ４１は、ファイバガイド２９ａに引っ掛けた部分から先端側をファイバ保持部品２９ｂに通す。ファイバ保持部品２９ｂには、光ファイバケーブル４から成端ユニット３まで引き込み配線した光ファイバ４１の内、該光ファイバ４１の先端を引き込んだ成端ユニット３と該光ファイバ４１を引っ掛けたファイバガイド２９ａとの間に位置する部分が通される。これにより、ファイバガイド２９ａと成端ユニット３との間に配線される多数本の光ファイバ４１がファイバ保持部品２９ｂによって集束され、第２配線用空間２７ｂ内には、ファイバ保持部品２９ｂによって複数本の光ファイバ４１を集束したファイバ束が、上下方向に延在するように形成される。ファイバ保持部品２９ｂは、Ｃ字の開口部を拡張するように弾性変形させることで、開口部を介して、光ファイバ４１を内外に自由に移動させることができる。ファイバ保持部品２９ｂの開口部を拡張させる弾性変形の解除によって、開口部が狭くなる（あるいは閉じられる）と、光ファイバ４１が開口部を通過できなくなり、ファイバ保持部品２９ｂの内側に収納されている光ファイバ４１のファイバ保持部品２９ｂからの離脱が規制される、収納状態が維持される。
【００１７】
前記光ファイバ４１は、本発明に係る導入光ファイバとして機能するものであり（以下、導入光ファイバ４１とも言う）、成端ユニット３に引き込まれた先端が、成端ユニット３に設けられている接続用光ファイバ３２と融着接続される。
図３、図５に示すように、接続用光ファイバ３２の片端には、成端モジュール３の光コネクタ３１が取り付けられている。接続用光ファイバ３２の光コネクタ３１とは反対側の端部に導入光ファイバ４１の先端を融着接続すると、実質的に、導入光ファイバ４１の先端に光コネクタ３１が設けられた状態、すなわち、光コネクタ３１によってコネクタ接続可能に成端（以下、コネクタ成端とも言う）された状態となる。
なお、本明細書では、コネクタ成端済みの接続用光ファイバ３２に導入光ファイバ４１を融着接続して、実質的に、導入光ファイバ４１の先端に光コネクタ３１が設けられた状態とすることも、コネクタ成端、に含むものとして説明する。
【００１８】
図１、図３、図５に示すように、成端ユニット３は、前面側に光コネクタ３１が複数配列設置されたボックス状のモジュール本体３３ａを有するコネクタモジュール３３と、このコネクタモジュール３３の下側に設置され、光ファイバ３２、４１同士の融着接続部３４を収納する融着トレー３５が設けられた融着トレー収納部３６と、コネクタモジュール３３の下部にて該コネクタモジュール３３の前面側に突設され、コネクタモジュール３３の左右方向（横方向）全体にわたって延在する配線棚３７と、コネクタモジュール３３と融着トレー収納部３６とからなるユニット本体３８の左右方向片側の側部（図４〜図５に示した例では、第１配線用空間２７ａ側の側部）に設けられた配線ステージ３９（後述）とを具備して構成されている。
【００１９】
コネクタモジュール３３は、光コネクタ３１が複数配列設置されたコネクタパネル３３ｂが前面側に設けられたボックス状のモジュール本体３３ａと、モジュール本体３３ａ内に配線された前記接続用光ファイバ３２とを具備する。このコネクタモジュール３３は、本発明に係る成端部として機能する。
【００２０】
図示例のコネクタモジュール３３では、前面側に、複数のコネクタパネル３３ｂを横並びに設置して、多数の光コネクタ３１が配列されたコネクタ配列部３１Ａを構成しているが、コネクタモジュール３３の前面側の全ての光コネクタ３１が取り付けられた１枚のコネクタパネルをコネクタモジュール３３の前面側に取り付けた構成も採用可能であることは言うまでも無い。コネクタモジュール３３前面側のコネクタパネルはコネクタ配列部を構成する。
【００２１】
接続用光ファイバ３２は、片端が前記光コネクタ３１によってコネクタ接続可能に成端されているコネクタ付き光ファイバである。図５に示すように、この接続用光ファイバ３２の、前記光コネクタ３１とは反対側の端部は、モジュール本体３３ａの底板部３３ｃに開口されているファイバ挿通孔３３ｄからモジュール本体３３ａの下側に延出されて、融着トレー収納部３６に引き込まれている。
【００２２】
図１、図３に示すように、融着トレー収納部３６は、互いに離隔して設けられた一対の側板３６１の間に、融着トレー３５を収納した構成になっている。この融着トレー収納部３６は、ユニット本体３８においてコネクタモジュール３３のモジュール本体３３ａの下側に設けられた支持部材３８１に取り付けて、モジュール本体３３ａの下側に設けられている。図示例の成端ユニット３において、前記支持部材３８１は、具体的には、モジュール本体３３ａの下側に、モジュール本体３３ａから離隔させて設置された棚（以下、支持部材３８１を「棚３８１」として説明する場合がある）であり、融着トレー収納部３６は、棚３８１上に設置して、モジュール本体３３ａと棚３８１との間に確保された空間３８２内に収納してある。
【００２３】
融着トレー収納部３６の一対の側板３６１は、融着トレー３５の前後動を案内するガイド部材として機能する。融着トレー３５は、一対の側板３６１によって案内されながら、融着トレー収納部３６の前面側に引き出すことができる。また、融着トレー収納部３６の前面側に引き出された融着トレー３５は、光配線盤１の背面側に向かって押圧するようにして、融着トレー収納部３６に収納（再収納）できる。
図示例の成端ユニット３の融着トレー収納部３６は、一対の側板３６１の間に、複数の融着トレー３５を上下多段に収納している。各融着トレー３５は、それぞれ側板３６１に案内されながら、前面側への引き出し操作を個別に行える。再収納も個別に行える。
【００２４】
図６等に示すように、融着トレー３５は、底板３５１の外周部上に該底板３５１から立ち上げられた周囲壁３５２が周設された構造になっている。なお、図示例の融着トレー３５の底板３５１は長方形板状であり、この底板３５１の外周部に立設されている周囲壁３５２は、前壁３５２ａと、後壁３５２ｂと，両側の側壁３５２ｃ、３５２ｄとを具備する四角枠状になっている。
融着トレー収納部３６の各融着トレー３５には、接続用光ファイバ３２のコネクタモジュール３３から延出された部分（以下、融着用ピグテイル３２ａとも言う）の端部が引き込まれている。融着用ピグテイル３２ａは、融着トレー３５の後壁３５２ｂに開口されたファイバ導入口３５９から融着トレー３５内に引き込まれている。符号３２ｂは、融着用ピグテイル３２ａを収納した保護チューブであり、融着トレー３５内に設置されたファイバガイド７に先端を嵌め込んで固定してある。融着用ピグテイル３２ａは、保護チューブ３２ｂの先端から露出されて、融着トレー３５内に引き回し配線されている。
符号８は、融着用ピグテイル３２ａとケーブル側光ファイバ４１との融着接続部３４を保持する融着部ホルダであり、融着トレー３５の底板３５１上に取り付けて、融着トレー３５内に設置してある。ケーブル側光ファイバ４１は、融着トレー３５の側壁３５２ｃ、３５２ｄに開口されたファイバ導入口３５４から融着トレー３５内に引き込まれる。
また、融着トレー３５内には、どこにも接続していない未接続の融着用ピグテイル３２ａである保留光ファイバ３２ａ１を収納してある。融着トレー３５を融着トレー収納部３６から前面側に引き出すと、融着トレー３５内（詳細には内部空間３５３内）に収納されている融着用ピグテイル３２ａ（保留光ファイバ３２ａ１も含まれる）の、融着トレー３５からの取り出し、再収納が可能である。
【００２５】
なお、成端ユニット３のユニット本体３８の前面側に突設されている配線棚３７は、融着トレー収納部３６よりも上側に設けられている。各成端ユニット３において、コネクタモジュール３３の前面側の光コネクタ３１は、配線棚３７よりも上側に設置されている。
【００２６】
また、図３、図５に例示した成端ユニット３の配線棚３７は、ヒンジ３７３（回転支持部）によって、ユニット本体３８の前側に上下回転可能に枢着された棚板３７１と、この棚板３７１のヒンジ３７３とは反対側の端部に立設されたファイバ脱落防止片３７２とを具備するＬ字板状に形成されている。前記ヒンジ３７３は、具体的には、ユニット本体３８の前側に突設された台板３８３の前端に設けられている。符号３７４は、配線棚３７の棚板３７１と台板３８３との境界部（ヒンジ３７３を含む）上を覆う柔軟性シートである。
前記配線棚３７は、回転によって、棚板３７１の上面（以下、配線面３７５とも言う）が水平（あるいは、ほぼ水平）となる位置（以下、「上昇位置３７Ａ」）と、配線面３７５がユニット本体３８から前側へ斜め下方に傾斜した状態となる下方傾斜位置３７Ｂとを切り換えることができる。下方傾斜位置３７Ｂは、上昇位置３７Ａよりも下方に位置する。
【００２７】
成端ユニット３には、上昇位置３７Ａ、下方傾斜位置３７Ｂに、配線棚３７を支持するための、配線棚支持手段を設けることが好ましい。配線棚支持手段としては、例えば、回転抵抗によって適宜、所望位置で配線棚３７を停止させることができるようにしたヒンジ３７３（いわゆるダンパーヒンジ等）や、配線棚３７の回転軌跡に出没可能なストッパ片等を採用できる。配線棚３７を下方傾斜位置３７Ｂに位置させれば、配線棚３７とコネクタモジュール３３との間のスペースが拡がるため、コネクタモジュール３３の光コネクタ３１に接続されるジャンパ用光ファイバ５や外部光ファイバ６（後述）の先端の光コネクタ（光コネクタプラグ）のコネクタモジュール３３の光コネクタ３１に対する着脱、配線棚３７に対する光ファイバ（ジャンパ用光ファイバ５、外部光ファイバ６）の収納及び取り出しといった作業を、光配線盤１の前面側（成端ユニット３の前面側）から、楽に行えるようになり、作業性を向上できる。
【００２８】
この光配線盤１にあっては、該光配線盤１内に配線したジャンパ用光ファイバ５を介して、光配線盤１に引き込んだ光ファイバケーブル４の光ファイバ間の切替接続を１心単位で実現できる。
前記光ファイバケーブル４の光ファイバ４１は、成端ユニット３の融着トレー３５に引き込まれている接続用光ファイバ３２の端部と融着接続することで、接続用光ファイバ３２を介して、成端ユニット３の光コネクタ３１によってコネクタ接続可能となる（コネクタ成端される）。光ファイバケーブル４の光ファイバ４１と接続用光ファイバ３２との融着接続部３４は、融着トレー３５に収納する。
【００２９】
図７に示すように、ジャンパ用光ファイバ５は、ここでは、光ファイバ５１（光ファイバコード）の長手方向両端に光コネクタ５２を取り付けた構造の、単心の光ファイバコード（いわゆるジャンパコード）であり、本発明に係る光コードとして機能する。両端の光コネクタ５２は、成端ユニット３の光コネクタ３１に、成端ユニット３の前側から着脱可能に接続できる。光コネクタ５２を成端ユニット３の光コネクタ３１に接続すると、成端ユニット３の接続用光ファイバ３２とジャンパ用光ファイバ５の光ファイバ５１とのコネクタ接続が実現される。ジャンパ用光ファイバ５の両端の光コネクタ５２を、それぞれ、成端ユニット３の、ケーブル側光ファイバ４１をコネクタ成端している光コネクタ３１に接続することで、光ファイバケーブル４の光ファイバ４１同士を、ジャンパ用光ファイバ５を介して光接続することができる。
【００３０】
図７に示すように、本実施形態にて採用している接続用光ファイバ３２は、具体的には、多心テープファイバ部３２１と、この多心テープファイバ部３２１の長手方向片端を複数本に単心分岐した分岐ファイバ部３２２とを具備した構造になっている。符号３３３は、多心テープファイバ部３２１の長手方向片端を複数本の分岐ファイバ部３２２に単心分岐した分岐部である。
【００３１】
各分岐ファイバ部３２２の先端は、光コネクタ３３４（光コネクタプラグ）によってコネクタ接続可能に成端されている。光コネクタ３４４は、単心用光コネクタプラグであり、例えばＳＣ形光コネクタ（ＪＩＳ  Ｃ  ５９７３に制定されるＦ０４形光コネクタ。ＳＣ：Single fiberCoupling optical fiber connector）、ＭＵ形光コネクタ（ＪＩＳ  Ｃ  ５９８３に制定されるＦ１４形光コネクタ。ＭＵ:Miniature-Unit coupling optical fiber connector）等の光コネクタプラグが採用される。また、ＳＣ形光コネクタからつまみを省略した、いわゆるＳＣ２形光コネクタ（光コネクタプラグ）も採用可能である。
【００３２】
図７等に示すように、光コネクタ３１は、詳細には、コネクタモジュール３３の前面側のコネクタパネル３３ｂに取り付けられた光コネクタアダプタ３１１に、分岐ファイバ部３２２の先端に取り付けられている光コネクタ３３４（光コネクタプラグ）を、コネクタモジュール３３の背面側、すなわち、コネクタモジュール３３の内側（詳細には、モジュール本体３３ａの内側）から挿入して接続したものである。光コネクタアダプタ３１１に前面側からジャンパ用光ファイバ５先端の光コネクタ５２を挿入して接続すると、光コネクタアダプタ３１１内にて、光コネクタ３３４、５２同士の接続によって、接続用光ファイバ３２の分岐ファイバ部３２２とジャンパ用光ファイバ５とがコネクタ接続される。
【００３３】
図１、図３等では、光コネクタプラグである光コネクタ３３４、５２が挿入されるコネクタ穴が一列に８個配列されている、８連の光コネクタアダプタ３１１を採用し、接続用光ファイバ３２の８心の多心テープファイバ部３２１から単心分岐された８本の分岐ファイバ部３２２の先端の光コネクタ３３４を、ひとつの光コネクタアダプタ３１１の各コネクタ穴にコネクタモジュール３３の内側（詳細には、モジュール本体３３ａの内側）から挿入して接続してある構成の光コネクタ３１を例示している。８連等の多連になっている前記光コネクタアダプタ３１１は、複数のコネクタ穴が上下多段に配列される向きで、コネクタモジュール３３に横並びにして複数配列設置してある。
但し、光コネクタ３１を構成する多連の光コネクタアダプタ３１１としては、例えば、２連や４連のもの等も採用可能であり、対応心数には特には限定は無い。また、接続用光ファイバ３２としても、多心テープファイバ部３２１が８心のものに限定されず、例えば、多心テープファイバ部３２１が、２心、４心、１２心等のものを採用できる。
また、例えば、８連の光コネクタアダプタ３１１に、４心の多心テープファイバ部３２１を具備する接続用光ファイバ３２を２本接続する（具体的には、分岐ファイバ部３２２を接続する）など、ひとつの光コネクタアダプタ３１１に対して、複数本の接続用光ファイバ３２を接続することも可能である。
【００３４】
なお、分岐ファイバ部３２２の先端に取り付けられている光コネクタ３３４（光コネクタプラグ）、光コネクタアダプタ３１１も、それぞれ、接続用光ファイバ３２のコネクタ成端を実現する、本発明に係る「光コネクタ」に相当する。
接続用光ファイバ３２（詳細には分岐ファイバ部３２２）を、ジャンパ用光ファイバ５に対してコネクタ接続可能に成端する光コネクタ３１としては、上述のように、光コネクタアダプタ３１１と、分岐ファイバ部３２２先端の光コネクタ３３４（光コネクタプラグ）とからなる構成のものに限定されず、例えば、接続用光ファイバ３２に取り付けた光コネクタレセプタクル等も採用可能である。
ジャンパ用光ファイバ５の両端の光コネクタ５２（光コネクタプラグ）としては、接続用光ファイバ３２の分岐ファイバ部３２２先端の光コネクタ３２４と同じものを用いることができる。この光コネクタ５２としては、光コネクタ３１に対して着脱可能に接続することで、接続用光ファイバ３２（詳細には分岐ファイバ部３２２）とジャンパ用光ファイバ５とのコネクタ接続を実現できるものであれば良く、必ずしも、接続用光ファイバ３２の分岐ファイバ部３２２先端の光コネクタ３２４と同じものに限定されない。
【００３５】
接続用光ファイバ３２の多心テープファイバ部３２１は、多心の光ファイバテープ心線と同様のものである。融着用ピグテイル３２ａは、多心テープファイバ部３２１を、コネクタモジュール３３のモジュール本体３３ａから延出させた部分である。
光ファイバケーブル４の光ファイバ４１は、光ファイバテープ心線である。
ここでは、接続用光ファイバ３２として、光ファイバ４１と心数が同じ多心テープファイバ部３２１を具備するものを用い、融着用ピグテイル３２ａの先端（接続用光ファイバ３２の光コネクタ３１とは反対側の端部。換言すれば、多心テープファイバ部３１１における、分岐部３１３とは反対側の端部）に光ファイバ４１を融着接続することで、光ファイバ４１の複数本の回線を、接続用光ファイバ３２を介して、光コネクタ３１によって、一括してコネクタ成端されるようにしてある。
【００３６】
図４、図７に示すように、この光配線盤１にあっては、ジャンパ用光ファイバ５の光コネクタ３２４を、それぞれ、光ファイバケーブル４の光ファイバ４１と融着用ピグテイル３２ａとの融着接続によって前記光ファイバ４１をコネクタ成端している光コネクタ３１に接続することで、単心のジャンパ用光ファイバ５を介して、光ファイバ４１の特定の１心の光回線同士が光接続される。ジャンパ用光ファイバ５の両端の光コネクタ５２の一方又は両方の、コネクタモジュール３３の光コネクタ３１に対する着脱によって、接続対象の接続用光ファイバ３２の光回線（詳細には、分岐ファイバ部３２２）を切り替えることで、１心単位で、光ファイバ４１間の切替接続を行える。
【００３７】
（配線ステージ）
図３に示すように、光コネクタ３２４によってコネクタモジュール３３の光コネクタ３１に接続したジャンパ用光ファイバ５は、コネクタモジュール３３の前面側にて、光コネクタ３１から下方に垂らすようにして、コネクタモジュール３３の下部から前面側に張り出すように突設されている配線棚３７上に配線される。前記配線棚３７は、コネクタモジュール３３に沿って横方向に延在する細長形状に形成されており、光コネクタ３１に接続された多数本のジャンパ用光ファイバ５が、該配線棚３７の長手方向に沿って配線される。また、配線棚３７に配線されたジャンパ用光ファイバ５は、配線棚３７の第１配線用空間２７ａ側の端部から延出され、配線ステージ３９上に配線される。
前記配線棚３７と前記配線ステージ３９とは、成端ユニット３の前面側から前記コネクタ配列部３１Ａの前記光コネクタに着脱可能に接続される光ファイバ５、６を配線するための配線部を構成する。
【００３８】
なお、配線棚３７に配線されたジャンパ用光ファイバ５の、配線棚３７からの延出方向は、ユニット積層部３Ａを介して左右両側の配線用空間の内、成端ユニット３に引き込まれる光ファイバ（ケーブル側光ファイバ４１）が引き回し配線されている配線用空間とは反対側の配線用空間への延出となる。
例えば、第１配線用空間２７ａに導入された光ファイバケーブル４の光ファイバ４１が第１配線用空間２７ａ内での配線によって成端ユニット３に引き込まれる構成の光配線盤の場合は、配線棚３７に配線されたジャンパ用光ファイバ５が配線棚３７の第２配線用空間２７ｂ側の端部から延出されて、第２配線用空間２７ｂにジャンパ用光ファイバ５の余長が収納されるようにする。
【００３９】
第１配線用空間２７ａには、両端の光コネクタ５２をそれぞれ光コネクタ３１に接続したジャンパ用光ファイバ５の余長５３が、配線ステージ３９から下方に垂れ下げるようにして、Ｕ字状に湾曲させた状態で収納される。
図５に示すように、配線ステージ３９は、平面視Ｌ字形に形成されたステージ本体３９１と、このステージ本体３９１上に設けられたコードクランプ３９２（３９２Ａ、３９２Ｂ、３９２Ｃ）とを具備して構成されている。ステージ本体３９１は、成端ユニット３のユニット本体３８に隣設されて配線棚３７から該ステージ本体３９１上に引き込まれるジャンパ用光ファイバ５を受け入れる受け入れ台部３９１ａと、この受け入れ台部３９１ａから配線棚３７とは反対の側に延出する第１配線台部３９１ｂと、受け入れ台部３９１ｂから背面側（図５上側）に延出する第２配線台部３９１ｃとを具備する。ステージ本体３９１は、受け入れ台部３９１ａと、第１配線台部３９１ｂと、第２配線台部３９１ｃとによって、ジャンパ用光ファイバ５が配線されるＬ字形の上面（配線面３９４）を有する。配線棚３７からステージ本体３９１上（詳細には受け入れ台部３９１ａ）に引き込まれたジャンパ用光ファイバ５は、受け入れ台部３９１ａから２つの配線台部３９１ｂ、３９１ｃ（第１配線台部３９１ｂと第２配線台部３９１ｃ）とに振り分け配線され、各配線台部３９１ｂ、３９１ｃの受け入れ台部３９１ａからの延出先端から第１配線用空間２７ａに垂れ下げるようにして配線される。
【００４０】
両端の光コネクタ５２をそれぞれ光コネクタ３１に接続したジャンパ用光ファイバ５の余長５３は、ジャンパ用光ファイバ５の長手方向中央部を配線ステージ３９（詳細にはステージ本体３９１）の第１配線台部３９１ｂと第２配線台部３９１ｃとから垂れ下げるようにして、第１配線用空間２７ａ内にＵ字状に湾曲配線した部分である。ここで、ジャンパ用光ファイバ５を垂れ下げる第１配線台部３９１ｂ及び第２配線台部３９１ｃは、同一の配線ステージ３９に設けられているもの、互いに異なる配線ステージ３９に設けられているもの、のいずれであっても良い。また、ジャンパ用光ファイバ５は、このジャンパ用光ファイバ５の一方の端部を光コネクタ５２によってコネクタ接続した接続用光ファイバ３２が配線されている成端ユニット３に設けられている第１配線台部３９１ｂと、前記ジャンパ用光ファイバ５の一方の端部を光コネクタ５２によってコネクタ接続した接続用光ファイバ３２が配線されている成端ユニット３に設けられている第２配線台部３９１ｃとから垂れ下げる。
【００４１】
この光配線盤１では、ジャンパ用光ファイバ５を、光配線盤１の互いの位置が前後方向及び横方向にずらされている第１配線台部３９１ｂと第２配線台部３９１ｃとの間にＵ字状に垂れ下げるようにして配線することで、ジャンパ用光ファイバ５の余長５３が確保されるので、第１配線用空間２７ａのスペースを有効利用して充分な長さの余長５３を容易に確保できる。したがって、第１配線用空間２７ａの縮小が可能であり、光配線盤１の小型化に有効に寄与する。
なお、図１、図５等において、符号３９３は、受け入れ台部３９１ａから延出された第１配線台部３９１ｂ、第２配線台部３９１ｃの先端に設けられたＲガイドである。第１配線台部３９１ｂ、第２配線台部３９１ｃの先端から垂れ下げられるジャンパ用光ファイバ５は、Ｒガイド３９３上の湾曲配線面３９３ａに配線して、第１配線台部３９１ｂ、第２配線台部３９１ｃから垂れ下げることで、光特性に影響を与えない充分な湾曲半径が確保される。
【００４２】
また、ジャンパ用光ファイバ５の余長５３は、第１配線用空間２７ａにおいて、下端部に湾曲部５３ａが確保され、この湾曲部５３ａの両側部分がそれぞれ上下方向に延在するように配線される（上下方向に延在するように配線された部分を、以下、上下延在部５３ｂとも言う）。第１配線用空間２７ａにおいては、前後方向及び横方向にずらされた２カ所に、多数本のジャンパ用光ファイバ５の余長５３の上下延在部５３ｂが集合配線される（上下延在部５３ｂを集合配線したものを、以下、集合配線部５４とも言う）。これにより、光配線盤１の上下多段の成端ユニット３の光コネクタ３１に対するジャンパ用光ファイバ５の切替接続に伴うジャンパ用光ファイバ５の移動や余長５３の取り出しの際に、ジャンパ用光ファイバ５の余長５３同士の絡まり等を容易に回避することができ、切替接続の作業性を向上できる。
また、ジャンパ用光ファイバ５の余長５３の上下延在部５３ｂを集合配線した２本の集合配線部５４ａ，５４ｂの間には、ラック２に突設されて第１配線用空間２７ａの上下方向の複数箇所に設けられたコードガイド２７ｃが介在配置されている。このため、第１配線用空間２７ａ内においては、２本の集合配線部５４ａ、５４ｂの上下延在部５３ｂを、コードガイド２７ｃによって明瞭に区分けして配線できる。
【００４３】
コードクランプ３９２（３９２Ａ、３９２Ｂ、３９２Ｃ）は、ステージ本体３９１の、受け入れ台３９１ａ、２つの配線台部３９１ｂ、３９１ｃにそれぞれ設けられている。
図１、図５等に示すように、コードクランプ３９２は、ステージ本体３９１上に立設された２本のガイド片３９２ａを有するＵ字状のコード挿通部材３９２ｂと、このコード挿通部材３９２ｂの２本のガイド片３９２ａの間に架設され２本のガイド片３９２ａに案内されて昇降するクランプ片３９３ｃとを具備し、クランプ片３９３ｃを下降させて、２本のガイド片３９２ａ間のコード挿通空間３９３ｄに挿通されているジャンパ用光ファイバ５を、コード挿通部材３９３ｂ下部のコード受け部３９３ｅに押し付けるようにすることで、ジャンパ用光ファイバ５を固定できる。２本のガイド片３９２ａは、コード受け部３９３ｅ上に突設されている。また、クランプ片３９３ｃを上昇させれば、ジャンパ用光ファイバ５の固定を解除できる。クランプ片３９３ｃは、コード受け部３９３ｅの両端に立設されている２本のガイド片３９２ａの上端から着脱できるようになっており、クランプ片３９３ｃを２本のガイド片３９２ａから離脱して、コード挿通部材３９２ｂの内側のコード挿通空間３９３ｄの上端を開放することで、コード挿通部材３９２ｂに対するジャンパ用光ファイバ５の収納及び取り出しを簡単に行える。
なお、コードクランプ３９２としては、受け入れ台３９１ａ、２つの配線台部３９１ｂ、３９１ｃにそれぞれ配線されるジャンパ用光ファイバ５を、複数本、一括してクランプ（及びクランプ解除）できる構成のものであれば良く、上述の構成のものに限定されず、様々な構成のもの採用できる。
【００４４】
ところで、この光配線盤１では、既述のように、配線棚３７を下方傾斜位置３７Ｂに位置させれば、配線棚３７とコネクタモジュール３３との間のスペースが拡がる。
また、図１，図２に示すように、この光配線盤１では、前記配線ステージ３７の、光ファイバ（ジャンパ用光ファイバ５、外部光ファイバ６。以下、「光コードＪ」と総称する場合がある）が配線される上面である配線面３９４は、上昇位置３７Ａにあるときの前記配線棚３７の配線面３７５よりも下方に位置する。配線ステージ３７は、上昇位置３７Ａにあるときの前記配線棚３７の配線面３７５よりも下方に設置されている。但し、配線ステージ３７の上下方向の設置位置は、配線ステージ３７の配線面３９４と前記配線棚３７の配線面３７５との高低差が、配線棚３７が前記上昇位置３７Ａにあるときに比べて下方傾斜位置３７Ｂにあるときの方が小さくなるように設定される。これにより、配線棚３７を上昇位置３７Ａから下方傾斜位置３７Ｂに回転移動したときに、配線棚３７の配線面３７５と配線ステージ３９の配線面３９４との高低差の縮小によって、配線棚３７上に配線されている光コードＪに余長が発生する。
【００４５】
この余長発生により、配線棚３７上からの光コードＪの取り出しを容易に行えるようになる。
また、余長発生により、配線棚３７上の光コードＪをユニット前面側へ確実に引き寄せるといったことが容易となるため、引き寄せによって、光配線盤１の前面側（換言すれば、成端ユニットの前面側）から、配線棚３７上の光コードＪの取り出す作業を効率良く行えるようになる。
これにより、光配線盤１に設けられている複数の成端ユニット３のコネクタモジュール３３の光コネクタ３１に対する光コードＪの切替接続等の作業を効率良く行える。
また、この引き寄せによって、成端部のコネクタ配列部の光コネクタに接続されている光コードが、それぞれ、コネクタ配列部から配線盤前面側に向かって延びるように、向きを整えることができ、特許文献３に例示したような光コネクタ着脱工具を使用して、光コードＪ先端の光コネクタ（光コネクタプラグ）を光コネクタ３１に対して着脱するといった作業に有利であり（工具を光コネクタ３１の近傍に差し込みやすくなるなど）、作業性を向上できる。
成端ユニット３では、特許文献２記載のような光ファイバ保持具を使用しなくても、配線棚３７の上昇位置からの下降に伴う光コードＪの配線ステージ側への引っ張りによる光コードＪの曲げの影響を解消して、コネクタ配列部の光コネクタ３１に対する、光コードＪ先端の光コネクタの着脱の作業性を確保できる。
【００４６】
配線棚３７の配線面３７５と配線ステージ３９の配線面３９４との高低差の縮小によって、配線棚３７上に配線されている光コードＪに余長を発生させる点では、配線ステージ３９上の配線面３９４の上下方向の位置が、下降位置３７Ｂにあるときの前記配線棚３７の配線面３７５と揃えられていることが好ましい。
また、配線棚３７を上昇位置３７Ａから下方傾斜位置３７Ｂに回転移動したときの、配線棚３７の配線面３７５と配線ステージ３９の配線面３９４との高低差の縮小量が、数ｃｍ〜２０ｃｍ程度（例えば、２〜２０ｃｍ）確保されていることが、余長発生の点で好ましい。
【００４７】
また、この光配線盤１では、配線棚３７を下方傾斜位置３７Ｂから上昇位置３７Ａに回転移動すると、配線棚３７の配線面３７５と配線ステージ３９の配線面３９４との高低差の拡大によって、配線棚３７上の光コードＪが配線ステージ３９側に引っ張られ、これにより、配線棚３７上にて光コードＪに確保されていた余長が短縮していく。
図１等に示すように、配線ステージ３の受け入れ台部３９１ａは、成端ユニット３において、前記配線棚３７（詳細には、配線棚３７の配線ステージ３に臨む側の端部）から背面側にずれた位置に設置されている。このため、配線棚３７を下方傾斜位置３７Ｂから上昇位置３７Ａに回転移動したときに、配線棚３７上の光コードＪが配線ステージ３９側に引っ張られていくと、光コード３の、成端ユニット３の前面側にて配線棚３７に沿って横方向に配線された部分の、成端ユニット３の前後方向の位置が、配線ステージ３の受け入れ台部３９１ａのクランプ３９２Ａと同じに揃えられていく。
【００４８】
例えば、配線棚３７が下方傾斜位置３７Ｂにあるときに、配線棚３７上の光コードＪを配線棚３７の前端のファイバ脱落防止壁３７２（コード脱落防止壁）に沿わせるようにして引き寄せておき、この状態で、配線棚３７を、下方傾斜位置３７Ｂから上昇位置３７Ａに回転移動すると、ファイバ脱落防止壁３７２に接近させて沿わせるようにして配線しておいた光コードＪがファイバ脱落防止壁３７２からユニット背面側に離隔する。このため、配線棚３７が上昇位置３７Ａに到達したときには、配線棚３７上の光コードＪは、配線棚３７前端から背面側へずれた位置に配線されることになる。
この結果、下方傾斜位置３７Ｂから上昇位置３７Ａへの配線棚３７の移動が完了すれば、例えば、作業者が不用意に工具等で配線棚３７上の光コードＪに触れてしまう、等の不都合が生じにくくなる。
【００４９】
また、この光配線盤１にあっては、別途、ラック２の外側から導入された外部光ファイバ６を、成端ユニット３に引き込んで光コネクタ３１に接続することで、接続用光ファイバ３２（詳細には、分岐ファイバ部３２２）にコネクタ接続することも可能である。
ここで、外部光ファイバ６としては、例えば、伝送装置に接続された光ファイバ等である。また、この外部光ファイバ６としては、先端が、成端ユニット３の光コネクタ３１に着脱可能に接続できる光コネクタ６１によってコネクタ成端された、コネクタ付き光ファイバである。ここでは具体的にはコネクタ付き光ファイバコードであり、本発明に係る光コードとして機能し得る。外部光ファイバ６は、成端ユニット３の前面側に引き込んで、先端の光コネクタ６１を目的の回線の光コネクタ３１に接続することで、光ファイバケーブル４の目的の光回線と光接続される。
また、この外部光ファイバ６は、第１配線用空間２７ａを経由させて、２本の集合配線部５４ａ、５４ｂのジャンパ用光ファイバ５と同様に、目的の成端ユニット３まで引き回し配線される。
【００５０】
この光配線盤１は、コネクタモジュール３３の光コネクタ３１に対する成端ユニット３前面側からの光ファイバ（ジャンパ用光ファイバ５、外部光ファイバ６）先端の光コネクタの接続、該光配線盤１内への光ファイバケーブル４の引き込み、光ファイバ４１の配線、ケーブル側光ファイバ４１と接続用光ファイバ３２の融着用ピグテイル３２ａの融着接続等の作業を、該光配線盤の前面側から行える、いわゆる前面作業形（片面作業形）の光配線盤である。
【００５１】
この光配線盤１にあっては、光ファイバケーブル４の光ファイバ４１を、成端ユニット３の光コネクタ３１によってコネクタ成端するには、予め、融着トレー３５に引き込んでおいた融着用ピグテイル３２ａを融着トレー３５から取り出して、成端ユニット３に引き込んだケーブル側光ファイバ４１の先端を、融着接続すれば良い。このため、特許文献１，２に例示されるような成端ユニットからの光モジュールの取り出しを要する構成の光配線盤に比べて、非常に簡単な作業で効率良くコネクタ成端を実現できる。融着接続部３４の収納も簡単に行える。
また、光ファイバケーブル４の光ファイバ４１を融着する、接続用光ファイバ３２の融着用ピグテイル３２ａは、上下多段の成端ユニット３に振り分けて設けられている。さらに、各成端ユニット３において、複数の融着トレー３５に振り分けて収納されている。このため、光ファイバケーブル４の光ファイバ４１を融着する、目的の融着用ピグテイル３２ａの収納場所は判りやすく、融着用ピグテイル３２ａの融着トレー３５からの取り出しを迅速に行える。
【００５２】
なお、本発明は、上述の実施形態に限定されず、各種変更が可能である。
例えば、図２等では、配線ステージ３９の配線面３９４の上下方向の位置が、下方傾斜位置３７Ｂにあるときの配線棚３７の配線面３７５よりも若干下方にずれた位置に設定されている例を示したが、本発明では、配線ステージ３９の配線面３９４の上下方向の位置が、下方傾斜位置３７Ｂにあるときの配線棚３７の配線面３７５よりも若干上方にずれた位置に設定されている、構成も採用可能である。
【００５３】
接続用光ファイバとしては、上述した多心テープファイバ部３２１の片端を単心の複数本の分岐ファイバ部３２２に単心分岐した構造のものに限定されず、以下の（ａ）〜（ｃ）のような構成も採用可能である。
（ａ）多心テープファイバ部３２１の片端が、２心以上の多心のテープファイバ状の複数本の分岐ファイバ部３２２に分岐されているもの。但し、複数本の分岐ファイバ部の心数の合計は多心テープファイバ部の心数と同じであるため、各分岐ファイバ部は、多心テープファイバ部よりも少心の多心テープファイバとなっている。各分岐ファイバ部の先端には、コネクタ成端用の光コネクタが設けられ、各光コネクタがコネクタモジュールの前面側に配列設置されることは、上述の実施形態と同様である。
（ｂ）単心の光ファイバ心線、光ファイバ素線、といった１本の単心光ファイバの片端（一端部）に光コネクタを取り付け、他端部を融着用ピグテイルとしたもの。
（ｃ）多心光ファイバテープ心線の片端（一端部）に光コネクタを取り付け、他端部を融着用ピグテイルとしたもの。
ここで、上記（ａ）、（ｃ）では、接続用光ファイバのコネクタ成端用の光コネクタとしても多心用のものを用いる。接続用光ファイバにコネクタ接続する、ジャンパ用光ファイバ、外部光ファイバとしても多心のものを用いる。ジャンパ用光ファイバの両端をコネクタ成端する光コネクタ、外部光ファイバの先端をコネクタ成端する光コネクタは、多心用のものを採用する。
【００５４】
成端ユニットのコネクタ配列部としては、ボックス状のモジュール本体を具備するコネクタモジュールの前面側に光コネクタアダプタを配列設置した構成のコネクタパネルに限定されず、例えば、特許文献１，２のように、光コネクタ（光コネクタアダプタ）が取り付けられている外観薄板状の光モジュールを成端ユニットに横並びに複数配列設置して、複数横並びに配列設置された各光モジュールの光コネクタによってコネクタ配列部を構成した構成等も採用可能である。
【図面の簡単な説明】
【００５５】
【図１】本発明に係る光配線盤の成端ユニットを示す正面図である。
【図２】図１の成端ユニットの左側面図である。
【図３】図１の成端ユニットの右側面図である。
【図４】本発明に係る光配線盤を示す全体正面図である。
【図５】図４の光配線盤の平断面図であり、光配線盤及び成端ユニットの構造を示す図である。
【図６】図５の成端ユニットの融着トレー収納部の構造を示す平面図である。
【図７】図４の光配線盤内に配線されるジャンパ用光ファイバと、該ジャンパ用光ファイバを介して互いに光接続される、２本の光ファイバケーブルの光ファイバとの関係を示す光配線図である。
【符号の説明】
【００５６】
１…光配線盤、３…成端ユニット、３１…光コネクタ、３１Ａ…コネクタ配列部、３１１…光コネクタアダプタ、３２…接続用光ファイバ、３２ａ…コネクタモジュールから延出された光ファイバ（融着用ピグテイル）、３２ａ１…保留光ファイバ、３２２…光ファイバ（分岐ファイバ部）、３３…コネクタモジュール、３３ｂ…コネクタパネル、３４…融着接続部、３５…融着トレー、３７…配線棚、３７Ａ…上昇位置、３７Ｂ…下方傾斜位置、３７２…ファイバ脱落防止壁、３７３…回転支持部、３７５…配線面、３９…配線ステージ、３９１ａ…受け入れ台部、３９２、３９２Ａ、３９２Ｂ、３９２Ｃ…コードクランプ、３９４…配線面、５…光コード（ジャンパ用光ファイバ）、６…光コード（外部光ファイバ）、Ｊ…光コード。
【図１】
2008224892.tif 000003
【図２】
2008224892.tif 000004
【図３】
2008224892.tif 000005
【図４】
2008224892.tif 000006
【図５】
2008224892.tif 000007
【図６】
2008224892.tif 000008
【図７】
2008224892.tif 000009
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
光ファイバ（３２、３２２）をコネクタ接続可能に成端した光コネクタ（３１、３１１、３２４）が複数配列設置されたコネクタ配列部（３１Ａ）を前面側に有し、前記コネクタ配列部から背面側に前記光ファイバが配線された構成の成端部（３３）を具備するユニット（３）が上下多段に設けられた光配線盤であって、
前記ユニットは、前記成端部と、前記成端部の下側から前面側に張り出すように突設された配線棚（３７）と、ユニットの側部に設けられた配線ステージ（３９）とを具備し、前記配線棚と前記配線ステージとによって、ユニットの前面側から前記コネクタ配列部の前記光コネクタに着脱可能に接続される光コネクタ付きの光コード（５、６、Ｊ）が配線される配線部が構成され、
前記配線棚は、前記ユニットにおいて前記成端部の下側に設けられた回転支持部（３７３）によって上下回転可能に支持され、回転によって、前記光コードが配線される上面である配線面（３７５）が水平あるいはほぼ水平となる上昇位置（３７Ａ）と、この上昇位置から下方に傾動されて前記配線面が傾斜した向きとなる下方傾斜位置（３７Ｂ）とを、切り換え可能であり、
前記配線ステージは、該配線ステージの前記光コードが配線される上面である配線面（３９４）と前記配線棚の配線面との高低差が、配線棚が前記上昇位置にあるときに比べて下方傾斜位置にあるときの方が小さくなるように、前記上昇位置に設置された前記配線棚の配線面よりも下方に設置され、
前記配線ステージ上には、前記光コードを把持するコードクランプ（３９２、３９２Ａ、３９２Ｂ、３９２Ｃ）が設けられていることを特徴とする光配線盤（１）。
【請求項２】
前記配線棚の、前記回転支持部回転による回転中心からユニット前面側に延出する前面部上に、コード脱落防止片が突設されていることを特徴とする請求項１記載の光配線盤。
【請求項３】
前記成端部が、前記コネクタ配列部を前面側に有し、前記コネクタ配列部の光コネクタによってコネクタ接続可能に成端された光ファイバを収納するボックス状のコネクタモジュール（３３）であることを特徴とする請求項１又は２記載の光配線盤。
【請求項４】
前記ユニットは、前記コネクタモジュールの下側に、前記コネクタモジュールから延出された光ファイバ（３２ａ）と別の光ファイバとの融着接続部（３４）を収納する融着トレー（３５）を具備することを特徴とする請求項３記載の光配線盤。
【請求項５】
前記配線ステージ上には、光コードが、前記配線棚側から互いに異なる複数方向に延びる複数の配線ルートで配線されるようになっており、前記光コードを把持するコードクランプ（３９２、３９２Ａ、３９２Ｂ、３９２Ｃ）が、前記光コードの複数の配線ルートに応じた互いに異なる複数箇所に設けられている請求項１〜４のいずれかに記載の光配線盤。
【請求項６】
前記配線ステージは、前記配線棚から光コードが引き込まれる受け入れ台部（３９１ａ）を有し、前記配線ステージの配線面には、前記光コードが、前記受け入れ台部から、互いに異なる複数方向に延びる複数の配線ルートで配線されるようになっており、
前記受け入れ台部は、前記ユニットにおいて、前記配線棚から、該配線棚が設けられている前面側とは逆の背面側にずれた位置に設けられていることを特徴とする請求項１〜５のいずれかに記載の光配線盤。
【手続補正２】
【補正対象書類名】明細書
【補正対象項目名】００１０
【補正方法】変更
【補正の内容】
【００１０】
上記課題を解決するために、本発明では以下の構成を提供する。
第１の発明では、光ファイバをコネクタ接続可能に成端した光コネクタが複数配列設置されたコネクタ配列部を前面側に有し、前記コネクタ配列部から背面側に前記光ファイバが配線された構成の成端部を具備するユニットが上下多段に設けられた光配線盤であって、前記ユニットは、前記成端部と、前記成端部の下側から前面側に張り出すように突設された配線棚と、ユニットの側部に設けられた配線ステージとを具備し、前記配線棚と前記配線ステージとによって、ユニットの前面側から前記コネクタ配列部の前記光コネクタに着脱可能に接続される光コネクタ付きの光コードが配線される配線部が構成され、前記配線棚は、前記ユニットにおいて前記成端部の下側に設けられた回転支持部によって上下回転可能に支持され、回転によって、前記光コードが配線される上面である配線面が水平あるいはほぼ水平となる上昇位置と、この上昇位置から下方に傾動されて前記配線面が傾斜した向きとなる下方傾斜位置とを、切り換え可能であり、前記配線ステージは、該配線ステージの前記光コードが配線される上面である配線面と前記配線棚の配線面との高低差が、配線棚が前記上昇位置にあるときに比べて下方傾斜位置にあるときの方が小さくなるように、前記上昇位置に設置された前記配線棚の配線面よりも下方に設置され、前記配線ステージ上には、前記光コードを把持するコードクランプが設けられていることを特徴とする光配線盤を提供する。
第２の発明では、前記配線棚の、前記回転支持部回転による回転中心からユニット前面側に延出する前面部上に、コード脱落防止片が突設されていることを特徴とする第１の発明の光配線盤を提供する。
第３の発明では、前記成端部が、前記コネクタ配列部を前面側に有し、前記コネクタ配列部の光コネクタによってコネクタ接続可能に成端された光ファイバを収納するボックス状のコネクタモジュールであることを特徴とする第１又は第２の発明の光配線盤を提供する。
第４の発明では、前記ユニットは、前記コネクタモジュールの下側に、前記コネクタモジュールから延出された光ファイバと別の光ファイバとの融着接続部を収納する融着トレーを具備することを特徴とする第３の発明の光配線盤を提供する。
第５の発明では、前記配線ステージ上には、光コードが、前記配線棚側から互いに異なる複数方向に延びる複数の配線ルートで配線されるようになっており、前記光コードを把持するコードクランプが、前記光コードの複数の配線ルートに応じた互いに異なる複数箇所に設けられている第１〜４のいずれかの発明の光配線盤を提供する。
第６の発明では、前記配線ステージは、前記配線棚から光コードが引き込まれる受け入れ台部を有し、前記配線ステージの配線面には、前記光コードが、前記受け入れ台部から、互いに異なる複数方向に延びる複数の配線ルートで配線されるようになっており、前記受け入れ台部は、前記ユニットにおいて、前記配線棚から、該配線棚が設けられている前面側とは逆の背面側にずれた位置に設けられていることを特徴とする第１〜第５のいずれかの発明の光配線盤を提供する。